(57)【要約】  【課題】例えば机の上などに置かれた場合に外観上そのままみてもタイプカプセルとして想起し得るものであり、タイムカプセルとして想定される程度の秘密性も十分に有するタイムカプセル及びそれを作成するためのタイムカプセルキットを提供する。  【解決手段】タイムカプセル１００は、型枠にコンクリートを流し込むことで成型されたコンクリート体１０と、型枠にコンクリート原料を流し込むときに型枠の底部に配置することで、コンクリート体の表面に配置される表記部を有する表記部材２０と、コンクリート体１０内に埋没され、収納部５４を有する筒状部材５０と、コンクリート体１０内で表記部材２０と筒状部材５０との間に配置され、表記部材２０と接着され、貫通孔３１を有する中間部材と、貫通孔３１を貫通し、筒状部材５０に引っ掛ける輪を有する輪状部材４０とを具備する。【選択図】図２
0003188077.tif 000002
【実用新案登録請求の範囲】
【請求項１】
型枠にコンクリートを流し込むことで成型されたコンクリート体と、
前記型枠に前記コンクリート原料を流し込むときに前記型枠の底部に配置することで、前記コンクリート体の表面に配置される表記部を有する表記部材と、
前記コンクリート体内に埋没され、収納部を有する筒状部材と、
前記コンクリート体内で前記表記部材と前記筒状部材との間に配置され、前記表記部材と接着され、貫通孔を有する中間部材と、
前記貫通孔を貫通し、前記筒状部材に引っ掛ける輪を有する輪状部材と
を具備するタイムカプセル。
【請求項２】
請求項１に記載のタイムカプセルであって、
前記中間部材は、前記表記部材と接着された第１の板状部と、前記第１の板状部と離間して対向配置された第２の板状部と、前記第１の板状部と前記第２の板状部とを連結する連結部とを有し、Ｈ形の断面形状とされ、前記連結部に前記貫通孔が設けられた
タイムカプセル。
【請求項３】
請求項１又は２に記載のタイムカプセルであって、
前記筒状部材は、前記輪状部材の引っ掛け部となる溝を有する
タイムカプセル。
【請求項４】
タイムカプセルを作成するためのキットであって、
少なくとも底部と側壁部とからなる型枠を構成するための部材と、
前記型枠に流し込むためのコンクリート原料と、
前記型枠に前記コンクリート原料を流し込むときに、前記型枠の底部に配置することで、前記タイムカプセルの表面に配置される表記部を有する表記部材と、
前記型枠に前記コンクリート原料を流し込むときに、前記型枠内に配置することで、前記タイムカプセル内に埋没される、収納部を有する筒状部材と、
前記型枠に前記コンクリート原料を流し込むときに、前記表記部材に接着して前記型枠内に配置することで、前記タイムカプセル内に埋没される、貫通孔を有する中間部材と、
前記型枠に前記コンクリート原料を流し込むときに、前記貫通孔を貫通し、前記筒状部材に引っ掛けるための輪を形成し、当該輪に前記筒状部材を引っ掛けた状態で前記タイムカプセル内に埋没される輪状部材となる部材と
を具備するタイムカプセルキット。
【請求項５】
請求項４に記載のタイムカプセルキットであって、
前記中間部材は、前記表記部材と接着された第１の板状部と、前記第１の板状部と離間して対向配置された第２の板状部と、前記第１の板状部と前記第２の板状部とを連結する連結部とを有し、Ｈ形の断面形状とされ、前記連結部に前記貫通孔が設けられた
タイムカプセルキット。
【請求項６】
請求項４又は５に記載のタイムカプセルキットであって、
前記筒状部材は、前記輪状部材の引っ掛け部となる溝を有する
タイムカプセルキット。
【考案の詳細な説明】
【技術分野】
【０００１】
本考案は、思い出の品等を長期間保管するタイムカプセル及び該タイムカプセルを作成するためのタイムカプセルキットに関する。
【背景技術】
【０００２】
従来、例えば記念品や手紙などの物を、数年後或いは数十年後に開封する目的で、タイムカプセルに保管し、地中に埋めたり、タンスの引き出しに等に保管しておくこと等が行われている。タイムカプセルには、例えば施錠装置が設けられ、施錠を解除することにより、タイムカプセル内に保管していた物が取り出される。（例えば、特許文献１参照）。
【先行技術文献】
【特許文献】
【０００３】
【特許文献１】実開平０６−０２７５１６号公報（段落[００１６]−[００１７]）
【考案の概要】
【考案が解決しようとする課題】
【０００４】
上記構成のタイムカプセルでは、容易にタイムカプセル内に保管されている物を取り出すことができるが、実際には地中に埋めたり、タンスなどへの保管が前提で、例えばこれが机の上などに置かれた場合には、単なる施錠付の収容箱に過ぎず、到底タイムカプセルとは想起し得るものでもなく、またタイムカプセルとして想定される程度の秘密性も不十分であると考えられる。特に、近年では、マンションやアパートなどタイムカプセルを地中に埋めたり出来ない環境に居住することが多くなってきており、また公共の領域にこのようなタイムカプセルを埋めることも現実的には規制を受けており、例えば子供達がタイムカプセルを真の意味で体感できる機会がなくなってきている。
【０００５】
以上のような事情に鑑み、本考案の目的は、例えば机の上などに置かれた場合に外観上そのままみてもタイプカプセルとして想起し得るものであり、タイムカプセルとして想定される程度の秘密性も十分に有するタイムカプセル及びそれを作成するためのタイムカプセルキットを提供することにある。
【課題を解決するための手段】
【０００６】
上記目的を達成するため、本考案の一形態に係るタイムカプセルは、型枠にコンクリートを流し込むことで成型されたコンクリート体と、上記型枠に上記コンクリート原料を流し込むときに上記型枠の底部に配置することで、上記コンクリート体の表面に配置される表記部を有する表記部材と、上記コンクリート体内に埋没され、収納部を有する筒状部材と、上記コンクリート体内で上記表記部材と上記筒状部材との間に配置され、上記表記部材と接着され、貫通孔を有する中間部材と、上記貫通孔を貫通し、上記筒状部材に引っ掛ける輪を有する輪状部材とを具備する。
【０００７】
本考案の一形態に係るタイムカプセルでは、収納部に物を収納可能な筒状部材がコンクリート体内に埋没されているので、例えば机の上などに置かれた場合に外観上そのままみてもタイムカプセルとして想起しえるものであり、タイムカプセルとして想定される程度の秘密性も十分に有する。
また、本考案の一形態に係るタイムカプセルでは、成型時に筒状部材を型枠内に配置しコンクリート原料がこの型枠に流し込まれるが、その際に筒状部材が輪状部材及び中間部材を介して当該表記部材に接続されていることから、筒状部材が浮いてしまうようなことはない。従って、筒状部材をコンクリート体内の所望の位置に配置することができる。
【０００８】
本考案の一形態に係るタイムカプセルでは、上記中間部材が、上記表記部材と接着された第１の板状部と、上記第１の板状部と離間して対向配置された第２の板状部と、上記第１の板状部と上記第２の板状部とを連結する連結部とを有し、Ｈ型の断面形状とされ、上記連結部に上記貫通孔が設けられていてもよい。上記タイムカプセルの中間部材が断面形状がＨ形であるので、中間部材の凹部にまでコンクリートが入り込む。従って、それに連結された表記部材がコンクリート表面から剥がれにくくなる。
【０００９】
本考案の一形態に係るタイムカプセルでは、上記筒状部材は、上記輪状部材の引っ掛け部となる溝を有する。このような溝を設けることにより、当該タイムカプセルを成型する際に、筒状部材の位置決めが容易になる。
【００１０】
本考案の一形態に係るタイムカプセルキットは、タイムカプセルを作成するためのキットであって、少なくとも底部と側壁部とからなる型枠を構成するための部材と、上記型枠に流し込むためのコンクリート原料と、上記型枠に上記コンクリート原料を流し込むときに、上記型枠の底部に配置することで、上記タイムカプセルの表面に配置される表記部を有する表記部材と、上記型枠に上記コンクリート原料を流し込むときに、上記型枠内に配置することで、上記タイムカプセル内に埋没される、収納部を有する筒状部材と、上記型枠に上記コンクリート原料を流し込むときに、上記表記部材に接着して上記型枠内に配置することで、上記タイムカプセル内に埋没される、貫通孔を有する中間部材と、上記型枠に上記コンクリート原料を流し込むときに、上記貫通孔を貫通し、上記筒状部材に引っ掛けるための輪を形成し、当該輪に上記筒状部材を引っ掛けた状態で上記タイムカプセル内に埋没される輪状部材となる部材とを具備する。
【００１１】
本考案では、タイムカプセルを作成するためのキットとすることで、上記効果を有するタイムカプセルを材料収集などの手間を省いて容易に作成することができ、また例えばこれを教育用の教材とすることで、タイムカプセルという夢のある素材を介して、コンクリートを使った作業や物を例えば子供達に体感させることができる。
【考案の効果】
【００１２】
以上のように、本考案によれば、例えば机の上などに置かれた場合に外観上そのままみてもタイムカプセルとして想起し得るものであり、タイムカプセルとして想起される程度の秘密性も十分に有する。また、タイムカプセルの本体である筒状部材をコンクリート体内の所望の位置に配置することができるので、成型時に筒状部材が表面に露出するようなことはなくなる。
【図面の簡単な説明】
【００１３】
【図１】本考案の一実施形態に係るタイムカプセルを示す斜視図である。
【図２】図１の線ＩＩ−ＩＩ´における切断縦断面図である。
【図３】図１の線ＩＩＩ−ＩＩＩ´における切断縦断面図である。
【図４】上記タイムカプセルにおけるネームプレートを示す斜視図である。
【図５】上記タイムカプセルにおける中間部材及び針金を示す斜視図である。
【図６】上記タイムカプセルにおける筒状部材を示す斜視図及び断面図である。
【図７】上記筒状部材の蓋を取った状態を示す斜視図である。
【図８】上記タイムカプセルを作成するためのタイムカプセルキットの斜視図である。
【図９】上記タイムカプセルの作成方法を示す工程図（その１）である。
【図１０】上記タイムカプセルの作成方法を示す工程図（その２）である。
【図１１】本考案の中間部材の側面図である。
【図１２】比較例の中間部材の側面図である。
【図１３】上記タイムカプセルの作成時の様子を示す図である。
【図１４】上記タイムカプセル作成における、コンクリート材料注入時の様子を示す断面図である。
【考案を実施するための形態】
【００１４】
以下、図面を参照しながら、本考案の実施形態を説明する。
【００１５】
［タイムカプセル］
図１は本考案の一実施形態に係るタイムカプセルを示す斜視図である。図２は図１の線ＩＩ−ＩＩ´における切断縦断面図である。図３は図１の線ＩＩＩ−ＩＩＩ´における切断縦断面図である。なお図においてＸ軸およびＹ軸は相互に直交する水平方向を示し、Ｚ軸方向はＸ軸及びＹ軸に直交する鉛直方向を示す。
【００１６】
図１〜図３に示すように、本考案のタイムカプセル１００は、コンクリート体１０と、表記部材としてのネームプレート２０と、接着部材としての第２の両面テープ９１と、中間部材３０と、輪状部材としての針金４０と、筒状部材としての収納容器５０とを具備する。
【００１７】
タイムカプセル１００の外形を構成するコンクリート体１０の形状は任意の形状とすることができる。図１に示すように、本考案におけるコンクリート体１０は、略直方体形状を有し、直方体の縦方向の４つの角部からそれぞれ三角柱を切り取った、側面が八面の八角柱形状を有する。コンクリート体１０は、型枠にコンクリート原料を流し込むことで成型される。
【００１８】
図１に示すように、ネームプレート２０はコンクリート体１０の表面に配置される。
図４はネームプレート２０の斜視図である。図４に示すように、ネームプレート２０は板状のプラスチックからなり、表記部２３を有する第１の面２１と該第１の面２１と対向する第２の面２２を有する。表記部２３は、タイムカプセル１００の所有者名やタイムカプセル１００を作成した日付等、任意の情報を記入する部分である。第２の面２２は、第２の両面テープ９１を介して中間部材３０と接着する接着面である。
表記部材は、タイムカプセル作成時にコンクリート原料が流し込まれる型枠の底部に配置される。
【００１９】
第２の両面テープ９１は、ネームプレート２０と中間部材３０とを接着し、固定するものである。ここでは、接着部材として両面テープを用いたが、接着剤を用いてもよい。
【００２０】
中間部材３０は、例えばプラスチック製の建材からなり、コンクリート体１０内に埋没されて、ネームプレート２０と収納容器５０との間に配置され、ネームプレート２０と接着され、貫通孔３１を有する。
【００２１】
図５は中間部材３０に針金４０を通した状態を示す斜視図である。図２、図３及び図５に示すように、中間部材３０は、第１の板状部３４と、第２の板状部３２と、連結部３３とが一体成型されたものである。中間部材３０は、これら第１の板状部３４、第２の板状部３２及び連結部３３により、断面形状がＨ形の材軸方向に長い形状を構成している。中間部材３０は、断面形状がＨ形となっているので、第１の板状部３４と第２の板状部３２との間の凹部にコンクリート体１０が入り込み、中間部材３０がコンクリート体１０から外れにくくなっている。これにより、中間部材３０に第２の両面テープ９１を介して接続されているネームプレート２０がコンクリート体１０の表面から剥がれ難くなる。
【００２２】
第１の板状部３４と第２の板状部３２とは離間して対向配置される。第１の板状部３４と第２の板状部３２とは、これら板状部３４及び３２とほぼ垂直となるように配置された板状の連結部３３によって、連結されている。
【００２３】
第１の板状部３４は平面が矩形状を有しており、第２の板状部３２と対向する面と反対側の面が、第２の両面テープ９１を介してネームプレート２０と接着する接着面となる。
【００２４】
第２の板状部３２は平面が矩形状を有している。第２の板状部３２の材軸方向（長手方向）の長さは、第１の板状部３４の材軸方向の長さと同じであるが、第２の板状部３２の材軸方向と直交する方向における長さ（幅）は、第１の板状部３４のそれよりも短くなっている。尚、本実施形態においては、第１の板状部３４と第２の板状部３２の材軸方向と直交する方向における長さを異ならせたが、同じ長さでも良く、適宜サイズを変更することができる。タイムカプセル１００においては、中間部材３０の第２の板状部３２側に収納容器５０が位置する。
【００２５】
連結部３３は、針金４０が貫通する貫通孔３１を有する。
【００２６】
針金４０は、収納容器５０に引っ掛ける輪を形成することで用いられる。針金４０は、中間部材３０の貫通孔３１を貫通して、中間部材３０の第２の板状部３２の周囲を囲むように輪状に、両端が束ねられて捻られている。
【００２７】
収納容器５０は、コンクリート体１０に埋没され、収納部５４を有している。収納部５４には思い出の品等を収納することが可能となっている。
図６（ａ）は蓋を閉めた状態の収納容器５０の斜視図、図６（ｂ）は図６（ａ）の線ＶＩｂ−ＶＩｂ´で切断した切断縦断面図である。図７は蓋を取った状態を示す収納容器５０の斜視図である。
【００２８】
図に示すように、収納容器５０は、本体５１と蓋５２から構成され、内部に物を収納可能な収納部５４を有する。
【００２９】
本体５１は、筒状の第１のパイプ５１ａと、該第１のパイプ５１ａの内径とほぼ等しい外径を有する筒状の第２のパイプ５１ｂと、第１の栓５１ｃとからなる。第２のパイプ５１ｂは、第１のパイプ５１ａの内部に嵌めこまれ、第２のパイプ５１ｂの一端は、第１のパイプ５１ａの一端から突出し、第２のパイプ５１ｂの他端は、第１のパイプ５１ａの他端よりも内部に位置している。第１のパイプ５１ａの他端には第１の栓５１ｃが一体的に形成されている。
【００３０】
蓋５２は、筒状の第３のパイプ５２ａと第２の栓５２ｂとからなる。第３のパイプ５２ａは、本体５１の第１のパイプ５１ａと同じ外径及び内径を有している。第３のパイプ５２ａの一端には第２の栓５２ｂが一体的に形成されている。
【００３１】
本体５１の第２のパイプ５１ｂを、蓋５２の第３のパイプ５２ａ内に挿入することにより、本体５１と蓋５２とを嵌め合わせて収納容器５０を構成する。
本実施形態においては、第１のパイプ５１ａと第３のパイプ５２ａとが離間している領域が収納容器５０の溝５３となる。該溝５３は、第２のパイプ５１ｂの一部が露出した領域であり、収納容器５０の中央部にそれを一周するように形成される。溝５３は、針金４０の引っ掛け部となり、タイムカプセル作成時、溝５３により針金４０の移動は溝内に制限され、該針金５３に引っ掛けられている収納容器５０は溝５３によって位置決めされる。
【００３２】
タイムカプセル１００において、収納容器５０は、中間部材３０及び針金４０を介してネームプレート２０に接続される。
【００３３】
このように、タイムカプセル１００はコンクリートを用いて作成されているので、例えば机の上などに置かれた場合に外観上そのまま見てもタイムカプセルとして想起することができ、タイムカプセルとして想定される程度の秘密性も十分に有する。
【００３４】
［タイムカプセルキット］
次に、上述のタイプカプセルを作成するためのタイムカプセルキットについて説明する。図８は、本考案の一実施形態に係るタイムカプセルキット１０００の斜視図である。上述の構成と同様の構成については同様の符号を付し、その説明を省略する。
【００３５】
図８に示すように、タイムカプセルキット１０００は、型枠６０を構成するための部材と、コンクリート原料８０と、ネームプレート２０と、ネームプレート用の第１の両面テープ９２と、中間部材３０と、輪状部材となる部材としての針金４０と、収納容器５０とを具備する。
【００３６】
型枠６０は、底部６３と側壁部６２とに囲まれた凹部６４を有する。底部６３は平面が矩形状の木板である。側壁部６２は、平面が矩形状の木板であり、底部６３の各四辺に底部６３に対して垂直に４つ設けられている。底部６３と４つの側壁部６２は、互いに第３の両面テープ９４（図１４参照）によって接着、固定されている。更に、凹部６４内には、底部６３と４つの側壁部６２とから形成される直方体状の空間の縦方向の４つの角部それぞれに相当する箇所に三角柱状の面木６１ａ〜６１ｄが第３の両面テープ９４によって接着固定されている。
【００３７】
図８においては、組み立て後の型枠６０を図示している。使用前のタイムカプセルキット１０００には、組み立てられた型枠６０ではなく、型枠６０を構成する部材が含まれている。型枠６０を構成する部材としては、底部６３となる木板と、側壁部６２となる４枚の木板と、４本の面木６１ａ〜６１ｄがある。
タイムカプセルキット１０００において、矩形状の平面を有する底部６３となる木板の、短辺に対応した２つの側面には、片面にシートが配置された第３の両面テープ９４が予め貼り付けられている。また、４つの側壁部６２のうち、底部６３の長辺側に底部６３に対して垂直に配置される２つの木板それぞれの一方の面には、１つの長辺を除く３辺に沿って、片面にシートが配置された第３の両面テープ９４が予め貼り付けられている。また、断面が直角二等辺三角形状を有する４本の面木６１ａ〜６１ｄの、断面の三角形の９０度の角を挟む二辺に対応する側面には、片面にシートが配置された第３の両面テープ９４が予め貼り付けられている。
【００３８】
型枠６０は、作成者によって、底部６３及び側壁部６２を貼り合わせて組み立てた後、面木６１ａ〜６１ｄを貼り合わせることにより形成される。すなわち、まず底部６３及び側壁部６２となる部材に配置されている両面テープ９４に貼られているシートを剥がし、５つの木板を桝状に組み立て、これら木板を互いに両面テープ９４によって貼り合わせる。その後、面木６１ａ〜６１ｄに配置されている両面テープ９４に貼られているシートを剥がし、底部６３及び側壁部６２によって形成された直方体状の内部空間の４つの角に面木６１ａ〜６１ｄを配置し、面木６１ａ〜６１ｄと側壁部６２とを両面テープ９４によって接着させることにより、型枠６０を形成する。
【００３９】
コンクリート原料８０は、コンクリート体１０を成型するために型枠６０に流し込むためのものである。コンクリート原料８０は、砂８１及びセメント８３からなる。各材料８１、８３は個別に包装される。タイムカプセル作成時には、これら２つの材料８１、８３を攪拌用容器に入れ、必要に応じて砂利も入れ、そこに水を加えながら攪拌してコンクリート材料を作成する。なお、砂利を入れても良いが、砂利を使用しないモルタルを用いても勿論構わない。請求の範囲における「コンクリート」は広義の意味であり、ここでいうモルタルも請求の範囲の「コンクリート」に含まれるものである。
【００４０】
まず、ネームプレート２０の第１の面２１の表記部２３に所有者名や作成日時等の情報を記入し、ネームプレート２０の表記部となる第１の面２１に第１の両面テープ９２を貼り付ける。両面テープ９２は、第１の面２１の全面に配置される。なお、表記部２３への上記の記入は、タイムカプセルキット１０００が完成した後に行っても良い。
【００４１】
タイムカプセルキット１０００に含まれる中間部材３０においては、第１の板状部３４の、第２の板状部３２と対向する面とは反対の面の全面に、シートが配置された第２の両面テープ９１が予め貼り付けられている。
【００４２】
針金４０は、輪状に変形可能な部材であり、使用前は輪状に成形されず、例えば直線状の状態でタイムカプセルキット１０００に含まれる。
【００４３】
［タイムカプセルの作成方法］
次に、上述のタイムカプセルキット１０００を用いたタイムカプセル１００の作成方法について説明する。
図９は、タイムカプセル１００の作成工程を示す工程図（その１）である。図１０は、図９に示す作成工程に続く、タイムカプセル１００の作成工程を示す工程図（その２）である。
図９（ａ）は、ネームプレートに貼り付けられた両面テープ９２のシート９２ａを剥がしている様子を示す斜視図である。図９（ｂ）は、ネームプレートを型枠内に配置した状態を示す概略平面図である。図９（ｃ）は、収納容器内に手紙を収納する様子を示す斜視図及び中間部材３０に針金４０を通した状態を示す斜視図である。図９（ｄ）は、型枠６０内に中間部材３０を配置した状態を示す斜視図である。
図１０（ａ）は、型枠６０内にコンクリート材料を流し込む様子を示す斜視図である。図１０（ｂ）は、収納容器５０を型枠６０内に載置した状態を示す概略平面図である。図１０（ｃ）は、型枠６０内に更にコンクリート材料を流し込む様子を示す斜視図である。図１０（ｄ）は作成されたタイムカプセルの斜視図である。
【００４４】
まず、上述したようにネームプレート２０の第１の面２１の表記部２３に所有者名や作成日時等の情報を記入し、ネームプレート２０の第１の面２１に両面テープ９２を貼り付ける。次に、図９（ａ）に示すように、ネームプレート２０の第１の面２１に貼り付けられている第１の両面テープ９２からシート９２ａを剥がす。次に、図９（ｂ）に示すように型枠６０内の底部６３の略中央部に、ネームプレート２０を、ネームプレート２０の第１の面２１が底部６３側に位置するように配置し、型枠６０とネームプレート２０とを第１の両面テープ９２を介して貼り合わせる。
【００４５】
次に、図９（ｃ）に示すように、収納容器５０の蓋５２をあけ、収納容器５０の本体５１内に、所有者が保管したい収納対象物、ここでは手紙９３を入れ、蓋５２を閉める。また、中間部材３０の貫通孔３１に針金４０を貫通させ、第２の板状部３２を挟むように針金４０をＵの字状に曲げる。
【００４６】
次に、中間部材３０の第１の板状部３４に配置されている第２の両面テープ９１からシートを剥がし、図９（ｄ）に示すように、第２の両面テープ９１を介して第１の板状部３４とネームプレート２０の第２の面２２とを貼り合わせ、針金４０を通した状態の中間部材３０を型枠６０内の底部６３に配置する。
【００４７】
次に、攪拌用容器７０に、コンクリート原料８０である砂８１、及びセメント８３を入れ、混ぜ合わせる。そこに水を加えながら攪拌してコンクリート材料８４を作成する。その後、図１０（ａ）に示すように、コンクリート材料８４を型枠６０内に約１．５ｃｍほどの深さまで流し込む。ここで、ネームプレート２０の第１の面は全面に第１の両面テープ９２が配置されているので、ネームプレート２０と型枠６０との間にコンクリート原料８０が入り込むことがない。従って、作成されるタイムカプセル１００の表面に配置されるネームプレート２０の表面にコンクリートが付着することがない。
【００４８】
次に、図１０（ｂ）に示すように、収納容器５０の長手方向と中間部材３０の長手方向をほぼ平行にし、収納容器５０の溝５３に針金４０が位置するように、収納容器５０を型枠６０内に配置する。その状態で、収納容器５０の溝５３上に針金４０が通るように、針金４０の両端を束ねて捻り、針金４０を輪状とする。これにより、溝５３に針金４０を引っ掛けた状態となる。ここで、収納容器５０に溝５３を設けることにより、針金４０の移動は溝５３内に制限され、収納容器５０から針金４０が外れにくく、また、作成されるタイムカプセル１００内の収納容器５０の位置決めを行うことができる。
【００４９】
ここで、収納容器５０を針金４０で中間部材３０に連結させた後、収納容器５０の中身の確認や入れ替えをしたい場合は、図１３に示すように、針金４０の輪をほどかずに、収納容器５０の本体５１に針金４０を引っ掛けた状態で蓋５２を取って、中身の確認や入れ替えを行うことができる。
図１３は、タイムカプセル作成中の様子を示し、収納容器５０を型枠６０内に配置した状態で、収納容器５０の蓋５２を外して収納容器５０内を確認している状態を示す。
本考案のタイムカプセルキット１０００においては、輪状部材として、形状保持機能の高い針金を用いているので、蓋５２を取ったときでも針金４０の形状がくずれにくく、収納容器内の中身の確認や入れ替えをした後、針金４０を蓋５２に巻き込んだりすることがなく、容易に蓋５２をすることができ、作業性がよい。
【００５０】
また、収納容器５０を針金４０で中間部材３０に連結させた後、収納容器５０内を確認するために、針金４０の輪形状を保持した状態で、収納容器５０を型枠６０内から取り出すこともできる。この場合、まず収納容器５０の本体５１に針金４０を引っ掛けた状態で蓋５２を取った後、本体５１を針金４０の輪内から引き抜けばよい。本考案のタイムカプセルキット１０００においては、輪状部材として、形状保持機能の高い針金を用いているので、このように収納容器５０を型枠６０内から取り出しても、針金４０の形状がくずれにくい。従って、収納容器５０内の中身の確認や入れ替えをした後、容易に本体５１の溝５３に針金４０引っ掛けることができ、収納容器５０を再び型枠６０内に戻すことができる。
【００５１】
また、針金４０の輪形状を保持した状態で、収納容器５０を型枠６０内に再配置する場合、針金４０は、中間部材３０の第２の板状部３２によって、輪状に保持されるので、針金４０を本体５１の溝５３に引っ掛け易い。
【００５２】
ここで、本考案の中間部材３０と、第２の板状部のない中間部材２３０とを、図１１及び図１２を用いて比較する。
図１１は、本考案の中間部材３０の側面図である。図１２は、比較例としての、第１の板状部２３４とこの第１の板状部２３４に垂直に配置される第３板状部２３３とからなる中間部材２３０の側面図である。第３の板状部２３３には、本考案の中間部材３０の連結部３３と同様に針金２４０を通す貫通孔２３１が設けられている。
【００５３】
図１２に示すように、比較例における中間部材２３０においては、本考案における第２の板状部３２に相当する部分がないので、針金２４０は輪状を保持し難い。例えば、針金２４０に、図面上、上方向に引っぱる力が加わると、第３の板状部２３３の厚み程度まで、長円状の針金２４０の輪の短径が小さくなるように、針金２４０の形状が変形しやすい。このように針金の２４０の形状が長細く変形すると、本体５１の溝５３に針金２４０を引っ掛けにくくなり、作業性が悪くなる。
【００５４】
これに対し、本考案の中間部材３０においては、第２の板状部３２が設けられているので、針金４０の形状を所望の形状に保持しやすい。すなわち、図１１に示すように、中間部材３０は断面形状がH形をしているので、中間部材３０の第１の板状部３４が下側に位置するように、中間部材３０を水平に載置すると、第２の板状部３２は庇状となる。この庇により、略長円状の針金の輪の短径を、第２の板状部３２の幅方向の長さ分程度までは保持することができ、庇を設けない場合よりも、輪状に針金４０の形状を保持しやすい。これにより、針金４０を、本体５１の溝５３に引っ掛け易い形状に保持しやすく、作業性が良い。
【００５５】
次に、収納容器５０を型枠６０内に配置した後、図１０（ｃ）に示すように、コンクリート材料８４を型枠６０に更に流し込む。
【００５６】
図１４は、図１０（ｃ）の線ＸＩＶ−ＸＩＶ´における切断縦断面図である。
図１４に示すように、コンクリート材料８４を型枠６０内に注入する際、収納容器５０は、図上、上方向（矢印Ａ）に浮いてしまう。しかしながら、本考案においては、収納容器５０は、型枠６０にネームプレート２０及び中間部材３０を介して固定された針金４０によって連結されているので、浮上を針金４０によって制限される。また、針金４０は溝５３内でその移動が制限されるので、この針金に接続される収納容器５０の移動も制限される。すなわち、溝５３によって、収納容器５０は位置決めされる。これにより、収納容器５０は、コンクリート材料８４に浮くことがなく、所望の位置でコンクリート材料８４に完全に埋没される。
【００５７】
次に、収納容器５０がコンクリート材料８４内の所望の位置で完全に埋没した状態で、コンクリート材料８４を硬化し、成型する。硬化後、型枠６０からコンクリート体１０を取り外し、第１の両面テープ９２を剥がして、図１０（ｄ）に示すコンクリート体１０の表面にネームプレート２０が配置されたタイプカプセル１００を得る。
【００５８】
以上のように、本考案においては、中間部材３０及び針金４０を設けることにより、タイムカプセル作成の際のコンクリート材料８４注入時における収納容器５０の浮上を防止することができる。従って、収納容器５０が完全にコンクリート材料８４に埋没した状態で、コンクリート材料の硬化を行うので、収納容器５０が露出することがなく、コンクリート体１０内に完全に収納容器５０が埋没された状態のタイプカプセル１００を得ることができる。
また、上述のように、タイムカプセルを作成するためのキットとすることにより、タイムカプセルを作成するための材料を収集する手間を省くことができ、容易にタイムカプセルを作成することができる。
また、本考案においては、例えばコンクリートやパイプといった建築材料を用いてタイムカプセルが形成されているので、例えばこれを教育用の教材とすることで、夢のある素材であるタイムカプセルの作成作業を通じて、子供達に建設への関心をわかせることができる。
【００５９】
以上、本考案の実施形態について説明したが、本考案は上述の実施形態にのみ限定されるものではなく、本考案の要旨を逸脱しない範囲内において種々変更を加え得ることは勿論である。
【符号の説明】
【００６０】
１０…コンクリート体
２０…ネームプレート
２３…表記部
３０…中間部材
３１…貫通孔
３２…第２の板状部
３３…連結部
３４…第１の板状部
４０…針金
５０…収納容器
５３…溝
５４…収納部
６０…型枠
６２…側壁部
６３…底部
８０…コンクリート原料
１００…タイムカプセル
１０００…タイムカプセルキット
【図１】
0003188077.tif 000003
【図２】
0003188077.tif 000004
【図３】
0003188077.tif 000005
【図４】
0003188077.tif 000006
【図５】
0003188077.tif 000007
【図６】
0003188077.tif 000008
【図７】
0003188077.tif 000009
【図８】
0003188077.tif 000010
【図９】
0003188077.tif 000011
【図１０】
0003188077.tif 000012
【図１１】
0003188077.tif 000013
【図１２】
0003188077.tif 000014
【図１３】
0003188077.tif 000015
【図１４】
0003188077.tif 000016